(57)【特許請求の範囲】
【請求項１】
ブラシ本体（２）に多数のブラシ毛（４）が突設され、ブラシ本体（２）に液体容器（７）が設けられ、液体容器（７）に筒状ノズル（１０）が多数のブラシ毛（４）側に突出するように設けられ、筒状ノズル（１０）の先端部内に、該筒状ノズル（１０）の先端開口（１６）を塞ぐように外方突出するボールチップ（１７）が設けられたヘアブラシにおいて、
筒状ノズル（１０）の内部が、液体が流通する中空流通路（１５）とされ、筒状ノズル（１０）の先端側の内壁に、弾性片（１９）が周方向に間隔をおいて複数個設けられ、この各弾性片（１９）は、筒状ノズル（１０）の先端開口（１６）の開口縁部にボールチップ（１７）を弾性的に押圧すると共に、筒状ノズル（１０）の先端開口（１６）の開口縁部との間で、ボールチップ（１７）を保持するように構成され、筒状ノズル（１０）の先端開口（１６）から外方突出したボールチップ（１７）の突出部を内方に押圧することにより、筒状ノズル（１０）の先端開口（１６）の開口縁部とボールチップ（１７）との間に、前記中空流通路（１５）に連通する隙間が形成されるように構成され、
ブラシ本体（２）の台座部（６）に、ブラシ台（３）が取り付けられ、ブラシ台（３）を介してブラシ本体（２）に前記多数のブラシ毛（４）が突設され、
前記筒状ノズル（１０）は、液体容器（７）に突設した取付筒部（１３）に雄ねじ（１１）及び雌ねじ（１２）を介して螺合装着されて、ブラシ台（３）側から前記多数のブラシ毛（４）の突設方向側に向けて外方突出されていることを特徴とするヘアブラシ。
【請求項２】
前記ブラシ本体（２）の台座部（６）とブラシ台（３）との間で、前記液体容器（７）が構成されていることを特徴とする請求項１に記載のヘアブラシ。
【発明の詳細な説明】
【０００１】
【産業上の利用分野】
本発明は、ヘアトニックや養毛剤等を直接頭皮に塗布し、またヘアリキッドなどの整髪剤を毛髪に塗布しうるヘアブラシに関する。
【０００２】
【従来の技術】
この種の従来のヘアブラシとして、例えば、特開平８−２１４９４８号公報に記載のものがある。この従来のヘアブラシは、ブラシ本体に多数のブラシ毛を突設すると共に、ブラシ本体に液体容器を設け、液体容器に筒状ノズルを多数のブラシ毛側に突出するように設け、筒状ノズルの先端部内に、該筒状ノズルの先端開口を塞ぐように外方突出するボールチップを設けたものであるが、前記筒状ノズルは、液体容器内の液体をボールチップにまで誘導する芯材を内挿すると共に、芯材の径外側にノズル先端から液体容器内部へと空気を導入するべく連通する空気導入路を形成している。
【０００３】
この場合、ヘアブラシで髪の毛を梳くと、ノズル先端のボールチップが頭皮の表面を転動し、液体容器内に貯留された養毛剤やヘアトニック等の液体を、芯材を介してボールチップに誘導し、ボールチップに誘導された液体を直接頭皮に塗布する。そして、ノズルに空気導入路を形成しているため、液体容器内の液体が吐出されるにしたがって液体容器内部の圧力が下がることがなくなり、芯材による液体の誘導の確実化を図るというものである。
【０００４】
【発明が解決しようとする課題】
しかし、上記従来の技術では、筒状ノズルに、液体容器内の液体をボールチップにまで誘導する芯材を内挿するため、筒状ノズルの内部の大部分を芯材が塞いで、筒状ノズルの内部を液体が流通しにくくなり、特に液体容器内の液体の粘性が大であれば、芯材が液体を殆ど誘導しなくなり、液体を頭皮に塗布することが困難になった。
【０００５】
しかも、筒状ノズルの細い内部に、芯材を内挿する必要があるし、またノズル先端から液体容器内部へと空気を導入する細い空気導入路を形成する必要もあり、筒状ノズルの構造が非常に複雑であり、製造困難でかつ製造費用も高く付いた。
本発明は上記問題点に鑑み、ヘアトニックや養毛剤、又はヘアリキッド等の整髪剤等の液体を筒状ノズルの先端からスムーズに頭皮や毛髪等に供給することができて、ヘアトニックや養毛剤又はヘアリキッド等の整髪剤を直接頭皮や毛髪に塗布し得、しかも筒状ノズルの構造が簡単で製造容易でかつ安価に製造することができるようにしたものである。
【０００６】
【課題を解決するための手段】
上記問題点を解決する本発明の技術手段は、ブラシ本体２に多数のブラシ毛４が突設され、ブラシ本体２に液体容器７が設けられ、液体容器７に筒状ノズル１０が多数のブラシ毛４側に突出するように設けられ、筒状ノズル１０の先端部内に、該筒状ノズル１０の先端開口１６を塞ぐように外方突出するボールチップ１７が設けられたヘアブラシにおいて、
筒状ノズル１０の内部が、液体が流通する中空流通路１５とされ、筒状ノズル１０の先端側の内壁に、弾性片１９が周方向に間隔をおいて複数個設けられ、この各弾性片１９は、筒状ノズル１０の先端開口１６の開口縁部にボールチップ１７を弾性的に押圧すると共に、筒状ノズル１０の先端開口１６の開口縁部との間で、ボールチップ１７を保持するように構成され、筒状ノズル１０の先端開口１６から外方突出したボールチップ１７の突出部を内方に押圧することにより、筒状ノズル１０の先端開口１６の開口縁部とボールチップ１７との間に、前記中空流通路１５に連通する隙間が形成されるように構成され、
ブラシ本体（２）の台座部（６）に、ブラシ台（３）が取り付けられ、ブラシ台（３）を介してブラシ本体（２）に前記多数のブラシ毛（４）が突設され、
前記筒状ノズル（１０）は、液体容器（７）に突設した取付筒部（１３）に雄ねじ（１１）及び雌ねじ（１２）を介して螺合装着されて、ブラシ台（３）側から前記多数のブラシ毛（４）の突設方向側に向けて外方突出されている点にある。
【０００７】
従って、髪を梳いたりブラッシングする際に、筒状ノズル１０の先端部のボールチップ１７を頭皮に押し当てることにより、筒状ノズル１０の先端開口１６から外方突出したボールチップ１７の突出部が内方に押圧され、これにより筒状ノズル１０の先端開口１６の開口縁部とボールチップ１７との間に、前記中空流通路１５に連通する隙間が形成され、この場合従来のように筒状ノズル１０の内部を芯材等で塞いだりすることもないため、液体容器７内のヘアトニックや養毛剤又はヘアリキッド等の整髪剤等の液体の粘性が大であっても、該液体が中空流通路１５を通って先端開口１６からスムーズに流出し、ヘアトニックや養毛剤又はヘアリキッド等の整髪剤を頭皮や毛髪等に簡単に塗布することができる。
【０００８】
しかも、筒状ノズルの内部に芯材を内挿したり、筒状ノズルの先端部に細い空気導入路を形成したりする必要もなくなり、筒状ノズル１０の構造が非常に簡単になり、製造容易でかつ安価に製造することができる。
【０００９】
本発明の他の技術手段は、ブラシ本体２の台座部６に、前記多数のブラシ毛４を有するブラシ台３が取り付けられ、ブラシ本体２の台座部６とブラシ台３との間で、前記液体容器７が構成されている点にある。
【００１０】
従って、ブラシ本体２の台座部６及びブラシ台３を液体容器７に兼用することができ、構成部材が其だけ少なくなり、かつ液体容器７を極力大きなものに形成することができ、非常に便利である。
【００１１】
【実施の形態】
以下、本発明の実施の形態を図面に基づいて説明する。
図２及び図３において、ヘアブラシ１は、木製又は樹脂製のブラシ本体２と、該ブラシ本体２に取付けられたブラシ台３とを備え、ブラシ台３に多数のブラシ毛４が設けられており、ブラシ台３を介してブラシ本体２に多数のブラシ毛４が突設されている。ブラシ毛４は、天然毛、金属、樹脂等からなり、ブラシ台３に適当な間隔で植設されている。
【００１２】
前記ブラシ本体２は、長尺状の把持部５と台座部６とを一体に備えている。台座部６は、平面視楕円形の略板状に形成されており、この台座部６の表面側の周縁部６ａは、内向き鍔状に形成されており、ブラシ台３の取付部とされている。なお、この他種々の取付方法によってブラシ台３をブラシ本体２に取付けることができる。
【００１３】
ブラシ台３は、平面視楕円形の略板状に構成され、上方に湾曲されており、その周縁部を台座部６の周縁部６ａに嵌め込むことにより、ブラシ台３がブラシ本体２に密閉状に取付けられている。
ブラシ本体２の台座部６とブラシ台３との間で、液体容器７が構成され、ここにヘアトニックや養毛剤又はヘアリキッド等の整髪剤等の液体が貯留されるようになっている。この液体容器７の裏面側となる台座部６には注入口８が開口されており、該注入口８からヘアトニックや養毛剤又はヘアリキッド等の整髪剤等の液体を液体容器７内に注入し得るようになっている。この注入口８には、栓体９が着脱自在に取付けられている。
【００１４】
図１及び図４にも示すように、液体容器７の上壁側となるブラシ台３には、長手方向に並設された２つの筒状ノズル１０が上方に向けて突設されている。この各筒状ノズル１０は、液体容器７とは別体に構成したもので、ブラシ台３に突設した取付筒部１３に雄ねじ１１及び雌ねじ１２を介して螺合装着され、筒状ノズル１０は、前記多数のブラシ毛４側に外方突出されている。従って、各筒状ノズル１０はブラシ台３から着脱可能である。
【００１５】
筒状ノズル１０の内部は、液体が流通する中空流通路１５とされ、筒状ノズル１０の先端部内に、該筒状ノズル１０の先端開口１６を塞ぐように外方突出するボールチップ１７が設けられている。
筒状ノズル１０の先端側の内壁に弾性片１９が４個内方突設され、この弾性片１９は図１に鎖線で示す如く筒状ノズル１０の先端側の内壁に略直角方向に内方突設したもので、例えば筒状ノズル１０と一体に形成されている。弾性片１９は、図１に鎖線で示す状態から弾性変形により実線で示す如く筒状ノズル１０の基端側内方（下方）に傾斜屈曲した状態になっており、筒状ノズル１０の先端開口１６の開口縁部にボールチップ１７を弾性的に押圧し、これによりボールチップ１７で筒状ノズル１０の先端開口１６を塞ぐようになっている。
【００１６】
そして、筒状ノズル１０の先端開口１６から外方突出したボールチップ１７の突出部を筒状ノズル１０の基端側内方に押圧することにより、各弾性片１９がさらに筒状ノズル１０の基端側内方に弾性変形して、図１に鎖線で示す如くボールチップ１７が筒状ノズル１０内を筒状ノズル１０の基端側内方に移動し、筒状ノズル１０の先端開口１６の開口縁部とボールチップ１７との間に、前記中空流通路１５に連通する隙間が形成されるように構成されている。
【００１７】
前記筒状ノズル１０及び弾性片１９は、例えば「東レ・デュポン株式会社」の製品である商品名「ハイトレル」を用いて構成したものであり、エンジリニアリングプラスチック（エンプラ＝高機能樹脂）のなかでもゴムとプラスチックの特性を備え持ち、熱可塑性ポリエステルエラストマーで、可塑剤を含まない柔軟なニューマテリアルで構成されている。従って、筒状ノズル１０及び弾性片１９は、幅広い温度領域で優れた機械的強度を保持し、低温度域でも柔軟性を失わずゴム弾性を発揮し、引っ張りや圧縮による永久歪みが少なく、変形からの回復に優れている。また、耐屈曲疲労性、引き裂き伝搬抵抗に優れ、多くの油、溶剤、オゾンにほとんど損なわれることなく強靱さを保つという特性を有している。
【００１８】
上記実施の形態によれば、ブラシ本体２に多数のブラシ毛４が突設され、ブラシ本体２に液体容器７が設けられ、液体容器７に筒状ノズル１０が多数のブラシ毛４側に突出するように設けられ、筒状ノズル１０の先端部内に、該筒状ノズル１０の先端開口１６を塞ぐように外方突出するボールチップ１７が設けられたヘアブラシにおいて、筒状ノズル１０の内部が、液体が流通する中空流通路１５とされ、ボールチップ１７で筒状ノズル１０の先端開口１６を塞ぐように該先端開口１６の開口縁部にボールチップ１７を弾性的に押圧する弾性片１９が、筒状ノズル１０の先端側の内壁に突設され、筒状ノズル１０の先端開口１６から外方突出したボールチップ１７の突出部を内方に押圧することにより、筒状ノズル１０の先端開口１６の開口縁部とボールチップ１７との間に、前記中空流通路１５に連通する隙間が形成されるように構成されているので、より具体的に言えば、筒状ノズル１０の内部が、液体が流通する中空流通路１５とされ、筒状ノズル１０の先端側の内壁に、弾性片１９が周方向に略等間隔をおいて複数個設けられ、この各弾性片１９は、筒状ノズル１０と一体に形成されると共に、筒状ノズル１０の先端側の内壁に直角方向に内方突設され、各弾性片１９は、筒状ノズル１０の内壁から直角方向に内方突出した状態から弾性変形により筒状ノズル１０の基端側に向けて傾斜屈曲されて、筒状ノズル１０の先端開口１６の開口縁部にボールチップ１７を弾性的に押圧すると共に、筒状ノズル１０の先端開口１６の開口縁部との間で、ボールチップ１７を保持するように構成され、筒状ノズル１０の先端開口１６から外方突出したボールチップ１７の突出部を内方に押圧することにより、前記各弾性片１９が、筒状ノズル１０の基端側に向けてさらに弾性変形して、筒状ノズル１０の先端開口１６の開口縁部とボールチップ１７との間に、前記中空流通路１５に連通する隙間が形成されるように構成されているので、髪を梳いたりブラッシングする際に、筒状ノズル１０の先端部のボールチップ１７を頭皮に押し当てることにより、筒状ノズル１０の先端開口１６から外方突出したボールチップ１７の突出部が内方に押圧され、各弾性片１９が弾性変形して、図１に鎖線で示す如くボールチップ１７が筒状ノズル１０の内方に移動し、筒状ノズル１０の先端開口１６の開口縁部とボールチップ１７との間に、前記中空流通路１５に連通する隙間が形成される。その結果、液体容器７内のヘアトニックや養毛剤又はヘアリキッド等の整髪剤等の液体が、中空流通路１５を通って先端開口１６から流出し、ヘアトニックや養毛剤又はヘアリキッド等の整髪剤を直接頭皮や毛髪に塗布することができる。また、ボールチップ１７により頭皮をマッサージして血行を良くし、一層の育毛促進を図ることもでき、またブラシ毛４により整髪がスムーズにできる。
【００１９】
図５は他の実施の形態を示し、筒状ノズル１０を液体容器７の上壁側となるブラシ台３に一体に形成するようにしたものである。その他の点は前記実施の形態と同様の構成である。
図６は他の実施形態を示し、ブラシ本体２の台座部６とブラシ台３との間に、ヘアトニックや養毛剤又はヘアリキッド等の整髪剤等の液体を入れる前記液体容器７が設けられている。この液体容器７はブラシ本体２とは別体に構成したもので、ブラシ本体２の台座部６の表面側に接着剤等によって固着されている。この液体容器７の裏面側には台座部６にも股がるように注入口８が開口されており、該注入口８から液体を液体容器７内に注入し得るようになっている。また、液体容器７の上壁側には、２つの筒状ノズル１０が上方に向けて突設されている。この各筒状ノズル１０は、液体容器７とは別体に構成したもので、液体容器７に突設した取付筒部１３に嵌合装着され、この筒状ノズル１０は、ブラシ台３をその挿通孔２１を介して貫通し、前記多数のブラシ毛４側に外方突出されている。その他の点は前記実施の形態と同様の構成である。
【００２０】
図７は他の実施の形態を示し、筒状ノズル１０を液体容器７に一体に形成するようにしたものである。その他の点は前記図６の実施の形態の場合と同様の構成である。
図８及び図９は他の実施の形態を示し、ブラシ本体２は、把持部２３と円筒状のブラシ取付部２４とを有し、把持部２３とブラシ取付部２４とは互いに嵌合固着され、ブラシ取付部２４の外周面の周方向の一部に、ブラシ毛４が外方突設されると共に、２個の筒状ノズル１０が外方突設されている。把持部２３とブラシ取付部２４との間で、円筒状の液体容器７が構成され、ブラシ取付部２４の外端部に注入口８が開口されており、該注入口８から液体を液体容器７内に注入し得るようになっている。この注入口８には、栓体９が着脱自在に取付けられている。
【００２１】
その他の点は前記実施の形態の場合と同様の構成であり、図示省略しているが、筒状ノズル１０の内部が、液体が流通する中空流通路１５とされ、ボールチップ１７で筒状ノズル１０の先端開口１６を塞ぐように該先端開口１６の開口縁部にボールチップ１７を弾性的に押圧する弾性片１９が、筒状ノズル１０の先端側の内壁に突設され、筒状ノズル１０の先端開口１６から外方突出したボールチップ１７の突出部を内方に押圧することにより、筒状ノズル１０の先端開口１６の開口縁部とボールチップ１７との間に、前記中空流通路１５に連通する隙間が形成されるように構成されている。
【００２２】
なお、この場合、液体容器７の一部であるブラシ取付部２４に前記筒状ノズル１０を一体に形成してもよいし、また筒状ノズル１０をブラシ取付部２４とは別体に形成して、筒状ノズル１０をブラシ取付部２４に外方突出するように装着するようにしてもよい。
図１０は他の実施の形態を示し、筒状ノズル１０に設けられた複数（例えば４個）の弾性片１９は、鎖線で示す如く筒状ノズル１０の先端側の内壁に、筒状ノズル１０の先端に向けて傾斜するように内方突設され、各弾性片１９は、鎖線で示す状態から弾性変形により実線で示す如くやや筒状ノズル１０の基端側内方（下方）に屈曲した状態になっており、筒状ノズル１０の先端開口１６の開口縁部にボールチップ１７を弾性的に押圧し、これによりボールチップ１７で筒状ノズル１０の先端開口１６を塞ぐようになっている。その他の点は前記実施の形態の場合と同様の構成である。
【００２３】
本発明は、上記実施例に限定されるものではなく、適宜設計変更することができる。
例えば、筒状ノズル１０の数は１つでもよいし、また筒状ノズル１０を３個以上設けてもよい。また、筒状ノズル１０の内壁に突設される弾性片１９の個数は、３個又は５個以上であってもよく、さらに弾性片１９を幅広のものに形成して、筒状ノズル１０の内壁に１個又は２個突設するようにしてもよい。また、ヘアブラシ１の型式は上記実施例のものに限定されず、種々のタイプのヘアブラシに採用することができる。
【００２４】
【発明の効果】
本発明のヘアブラシによれば、筒状ノズル１０の先端からスムーズに頭皮等に供給することができ、ヘアトニックや養毛剤等の液体を直接頭皮に塗布し、またヘアリキッド等の整髪剤等を毛髪に塗布し得る。しかも、筒状ノズル１０の構造が簡単で製造容易でかつ安価に製造することができる。
【図面の簡単な説明】
【図１】本発明の一実施の形態を示すヘアブラシの要部の正面断面図である。
【図２】同ヘアブラシの正面断面図である。
【図３】同ヘアブラシの平面図である。
【図４】同筒状ノズルの平面図である。
【図５】他の実施の形態を示すヘアブラシの正面断面図である。
【図６】他の実施の形態を示すヘアブラシの正面断面図である。
【図７】他の実施の形態を示すヘアブラシの正面断面図である。
【図８】他の実施の形態を示すヘアブラシの正面断面図である。
【図９】同ヘアブラシの側面断面図である。
【図１０】他の実施の形態を示す筒状ノズルの正面断面図である。
【符号の説明】
１  ヘアブラシ
２  ブラシ本体
３  ブラシ台
４  ブラシ毛
６  台座部
７  液体容器
１０  筒状ノズル
１５  中空流通路
１６  先端開口
１７  ボールチップ
【図１】
0003830678.tif 000002
【図２】
0003830678.tif 000003
【図３】
0003830678.tif 000004
【図４】
0003830678.tif 000005
【図５】
0003830678.tif 000006
【図６】
0003830678.tif 000007
【図７】
0003830678.tif 000008
【図８】
0003830678.tif 000009
【図９】
0003830678.tif 000010
【図１０】
0003830678.tif 000011